(57)【特許請求の範囲】
【請求項１】
光源から射出された光を画像情報に応じて変調し、投写レンズを介して被投写面に投写光を投写し画像を形成する画像投写手段を有するプロジェクターであって、
前記画像のフォーカス調整を行うフォーカス調整部と、
前記画像のズームサイズ調整を行うズーム調整部と、
少なくとも前記投写レンズと対向して当該プロジェクターの筐体に設けられた開口部を閉塞するとともに、前記投写光を遮断するシャッターと、
前記シャッターが全開放位置、投写レンズ開放位置、および閉鎖位置のいずれの位置にあるかを検出するシャッター位置検出手段と、
当該プロジェクターの動作を制御する制御手段と、
を備え、
前記シャッターは、前記投写レンズ開放位置、および前記閉鎖位置において、前記フォーカス調整部、および前記ズーム調整部の操作を禁止するように閉塞し、
前記制御手段は、前記シャッター位置検出手段によって前記シャッターが前記投写レンズ開放位置にあることを検出した場合に、前記画像投写手段によって第１の画像を投写し、
前記第１の画像は、前記フォーカス調整部、および前記ズーム調整部の操作が禁止されていることを示す画像であることを特徴とする、プロジェクター。
【請求項２】
請求項１に記載のプロジェクターであって、
前記筐体は、前記開口部と同じ一面に排気口を備え、
前記シャッターは、全開放時には前記一面と異なる面に収納される、
ことを特徴とする、プロジェクター。
【請求項３】
光源から射出された光を画像情報に応じて変調し、投写レンズを介して被投写面に投写光を投写し画像を形成する画像投写手段を有し、
前記画像のフォーカス調整を行うフォーカス調整部と、
前記画像のズームサイズ調整を行うズーム調整部と、
少なくとも前記投写レンズと対向して当該プロジェクターの筐体に設けられた開口部を閉塞するとともに、前記投写光を遮断するシャッターと、
を備えるプロジェクターの制御方法であって、
前記シャッターが全開放位置、投写レンズ開放位置、および閉鎖位置のいずれの位置にあるかを検出するシャッター位置検出ステップと、
前記シャッター位置検出ステップによって、前記シャッターが前記投写レンズ開放位置にあることを検出した場合に、前記画像投写手段によって第１の画像を投写する第１の画像投写ステップと、
を有し、
前記第１の画像は、前記フォーカス調整部、および前記ズーム調整部の操作が禁止されていることを示す画像であることを特徴とする、プロジェクターの制御方法。
【発明の詳細な説明】
【技術分野】
【０００１】
本発明は、プロジェクター、及びプロジェクターの制御方法に関する。
【背景技術】
【０００２】
従来、プロジェクターの投写中において、画像のフォーカス調整、及びズーム調整を行う際、投写レンズに備えられたフォーカス調整リング、及びズーム調整リングを操作する方式が用いられている。
また、プロジェクターを使ったプレゼンテーションにおいて、一時的に画像の投写を中止したい場合、特許文献１のようにスライド式のレンズシャッターを閉じることで画像の投写を中止できるプロジェクターが知られている。このレンズシャッターによって投写レンズを閉塞することで、フォーカス調整部、及びズーム調整部も同時に閉塞することができるので、誤って、フォーカス調整部、及びズーム調整部が操作されることを防止することができる。
【先行技術文献】
【特許文献】
【０００３】
【特許文献１】特開２００７−２４０５５１号公報
【発明の概要】
【発明が解決しようとする課題】
【０００４】
しかし、レンズシャッターを開放して投写レンズを露出しているときは、フォーカス調整部、およびズーム調整部も露出しているので、投写中に、操作されてしまう虞があった。フォーカス調整、およびズーム調整は、手間がかかるので、誤って操作部に触れたり、第三者に操作されたりした場合、正しい位置に調整し直すのは手間がかかるという問題があった。
【課題を解決するための手段】
【０００５】
本発明は、上述の課題の少なくとも一部を解決するためになされたものであり、以下の形態または適用例として実現することが可能である。
【０００６】
［適用例１］本適用例に係るプロジェクターは、光源から射出された光を画像情報に応じて変調し、投写レンズを介して被投写面に投写光を投写し画像を形成する画像投写手段を有するプロジェクターであって、前記画像のフォーカス調整を行うフォーカス調整部と、前記画像のズームサイズ調整を行うズーム調整部と、少なくとも前記投写レンズと対向して当該プロジェクターの筐体に設けられた開口部を閉塞するとともに、前記投写光を遮断するシャッターと、前記シャッターが全開放位置、投写レンズ開放位置、および閉鎖位置のいずれの位置にあるかを検出するシャッター位置検出手段と、当該プロジェクターの動作を制御する制御手段と、を備え、前記シャッターは、前記投写レンズ開放位置、および前記閉鎖位置において、前記フォーカス調整部、および前記ズーム調整部の操作を禁止するように閉塞し、前記制御手段は、前記シャッター位置検出手段によって前記シャッターが前記投写レンズ開放位置にあることを検出した場合に、前記画像投写手段によって第１の画像を投写することを特徴とする。
【０００７】
本適用例によれば、シャッターを全開放位置にして、画像のフォーカス調整、及びズーム調整を行った後、シャッターを投写レンズ開放位置に移動させることにより、投写レンズの開口部を開放したままで、フォーカス調整部、及びズーム調整部の操作を禁止にするように閉塞する。これにより、画像を投写しながら、フォーカス調整、及びズーム調整の操作を禁止することが可能となる。
【０００８】
［適用例２］上記適用例に記載のプロジェクターにおいて、前記第１の画像は、前記フォーカス調整部、および前記ズーム調整部の操作が禁止されていることを示す画像であることを特徴とする。
【０００９】
本適用例によれば、第１の画像はフォーカス調整部、およびズーム調整部の操作が禁止されていることを示す画像であるので、第１の画像を投写することで、ユーザーにフォーカス調整、及びズーム調整の操作が禁止されていることを知らせることが可能となる。
【００１０】
［適用例３］上記適用例に記載のプロジェクターにおいて、前記筐体は、前記開口部と同じ一面に排気口を備え、前記シャッターは、全開放時には前記一面と異なる面に収納される、ことを特徴とする。
【００１１】
本適用例によれば、シャッターが、排気口、及び開口部のある一面と異なる面に収納されるので、排気口を開口部と同じ一面に設ける場合でも、シャッターを全開放したときにシャッターと、排気口と、が干渉することを防止することが可能となる。
【００１２】
［適用例４］光源から射出された光を画像情報に応じて変調し、投写レンズを介して被投写面に投写光を投写し画像を形成する画像投写手段を有し、前記画像のフォーカス調整を行うフォーカス調整部と、前記画像のズームサイズ調整を行うズーム調整部と、少なくとも前記投写レンズと対向して当該プロジェクターの筐体に設けられた開口部を閉塞するとともに、前記投写光を遮断するシャッターと、を備えるプロジェクターの制御方法であって、前記シャッターが全開放位置、投写レンズ開放位置、および閉鎖位置のいずれの位置にあるかを検出するシャッター位置検出ステップと、前記シャッター位置検ステップによって、前記シャッターが前記投写レンズ開放位置にあることを検出した場合に、前記画像投写手段によって第１の画像を投写する第１の画像投写ステップと、を有することを特徴とする。
【００１３】
本適用例によれば、シャッターを全開放位置にして、画像のフォーカス調整、及びズーム調整を行った後、シャッターを投写レンズ開放位置に移動させることにより、投写レンズの開口部を開放したままで、フォーカス調整部、及びズーム調整部の操作を禁止にするように閉塞する。これにより、第１の画像を投写しながら、フォーカス調整、及びズーム調整の操作を防止することが可能となる。
【図面の簡単な説明】
【００１４】
【図１】プロジェクターの斜視図であり、（ａ）はシャッターが閉鎖位置、（ｂ）はシャッターが投写レンズ開放位置、（ｃ）はシャッターが全開放位置にあるときの状態を示す。
【図２】プロジェクターの回路構成を示すブロック図。
【図３】プロジェクターが動作中にシャッターの移動を検出したときの動作を示すフローチャート。
【図４】プロジェクターが電源オン操作を検出したときの動作を示すフローチャート。
【図５】フォーカス・ズーム調整操作禁止メッセージＭ１を示す図。
【図６】変形例１のプロジェクターの斜視図であり、（ａ）はシャッターが閉鎖位置、（ｂ）はシャッターが投写レンズ開放位置、（ｃ）はシャッターが全開放位置にあるときの状態を示す。
【発明を実施するための形態】
【００１５】
以下、図面を参照して本発明の一実施形態について説明するが、以下の実施形態は特許請求の範囲にかかる発明を限定するものではなく、また、実施形態における特徴の組み合わせの全てが発明の解決手段に必須であるとは限らない。
【００１６】
（第１実施形態）
図１は本実施形態のプロジェクター１の斜視図であり、図１（ａ）はシャッター４が閉鎖位置にあるとき、図１（ｂ）はシャッター４が投写レンズ開放位置にあるとき、図１（ｃ）はシャッター４が全開放位置にあるときの状態を示す。
図１に示すように、プロジェクター１は、上面２ｔ、前面２ｆなどを有する筐体２によって装置本体が覆われた構成となっている。なお、本実施形態においては、プロジェクター１に対して、投写方向である前面２ｆ方向を前方として説明する。
【００１７】
筐体２の上面２ｔには、ユーザーにより入力操作が行われる複数の操作キーを備えた入力操作手段２３が備えられている。
筐体２の前面２ｆ、及び前面２ｆに隣接する上面２ｔには、開口部３が連なって形成されており、開口部３の内側には、前方に向かって画像光を投写する投写レンズ１３が備えられている。
投写レンズ１３には、投写された画像のフォーカスを調整するフォーカス調整部５と、ズームサイズを調整するズーム調整部６が備えられている。フォーカス調整部５とズーム調整部６は、投写レンズ１３に備えられたフォーカス調整リング、及びズーム調整リングをツマミで操作する方式が使われている。
【００１８】
開口部３には、カバー部材としてのシャッター４が開閉可能に備えられており、開口部３をシャッター４で閉塞することによって、投写レンズ１３を保護するとともに投写光を遮光することが可能となっている。
【００１９】
筐体２の前面２ｆには、開口部３と隣り合って排気口７が設けられ、筐体２内部からの排気熱を排出する。
【００２０】
シャッター４は、筐体２の上面２ｔ、及び前面２ｆの間を蛇腹状に折れ曲がりながらスライド移動し、全開放時には筐体２の上面２ｔ内に収納されるように構成されている。シャッター４には操作ツマミ４ａが形成され、操作ツマミ４ａを保持しながら移動することができるようになっている。
【００２１】
図１（ａ）はシャッター４が閉鎖位置にあるときの状態を示す。このとき、シャッター４は、開口部３を閉塞し、投写レンズ１３からの投写光を遮断し、フォーカス調整部５、及びズーム調整部６の操作を禁止する。
【００２２】
図１（ｂ）はシャッター４が投写レンズ開放位置にあるときの状態を示す。このとき、シャッター４は、開口部３を部分的に開放し、投写レンズ１３は露出するが、フォーカス調整部５、およびズーム調整部６は閉塞したままの状態であり、フォーカス調整部５、及びズーム調整部６の操作を禁止する。
【００２３】
図１（ｃ）はシャッター４が全開放位置にあるときの状態を示す。このとき、シャッター４は、開口部３を全開放し、投写レンズ１３、フォーカス調整部５、及びズーム調整部６が露出し、画像の投写、フォーカス調整、及びズーム調整が可能となる。
【００２４】
また、筐体２の内側、シャッター４と隣接する部分にはシャッター４の位置を検出する図示しないフォトセンサーが配置されており、シャッター４が、全開放位置、投写レンズ開放位置、閉鎖位置のいずれの位置にあるかを判断することができるようになっている。
【００２５】
図２は、本実施形態のプロジェクター１の回路構成を示すブロック図である。
図２に示すように、プロジェクター１は、画像投写手段１０、シャッター位置検出手段１５、ＯＳＤ処理手段１６、画像信号処理手段１７、画像信号入力手段１８、制御手段２０、記憶手段２１、入力操作手段２３、光源制御手段２５、電源端子３０、電源部３１等で構成されており、これらは筐体２（図１）の内部に収容されている。
【００２６】
画像投写手段１０は、光源１１、光変調装置としての３つの液晶ライトバルブ１２Ｒ，１２Ｇ，１２Ｂ、投写光学系としての投写レンズ１３、液晶駆動手段１４等を含んでいる。画像投写手段１０は、光源１１から射出された光を、液晶ライトバルブ１２Ｒ，１２Ｇ，１２Ｂで変調し、投写レンズ１３から投写することによってスクリーンＳＣ等に画像を表示する。
【００２７】
光源１１は、超高圧水銀ランプやメタルハライドランプ等からなる放電型の光源ランプ１１ａと、光源ランプ１１ａが放射した光を液晶ライトバルブ１２Ｒ，１２Ｇ，１２Ｂ側に反射するリフレクター１１ｂとを含んで構成されている。
光源１１から射出された光は、図示しないインテグレーター光学系によって輝度分布が略均一な光に変換され、図示しない色分離光学系によって光の３原色である赤色（Ｒ），緑色（Ｇ），青色（Ｂ）の各色光成分に分離された後、それぞれ液晶ライトバルブ１２Ｒ，１２Ｇ，１２Ｂに入射する。
【００２８】
液晶ライトバルブ１２Ｒ，１２Ｇ，１２Ｂは、一対の透明基板間に液晶が封入された液晶パネル等によって構成される。液晶ライトバルブ１２Ｒ，１２Ｇ，１２Ｂには、マトリックス状に配列された複数の画素（図示せず）が形成されており、液晶に対して画素毎に駆動電圧を印加可能になっている。
液晶駆動手段１４が、入力される画像情報に応じた駆動電圧を各画素に印加すると、各画素は、画像情報に応じた光透過率に設定される。このため、光源１１から射出された光は、この液晶ライトバルブ１２Ｒ，１２Ｇ，１２Ｂを透過することによって変調され、画像情報に応じた画像光が色光毎に形成される。
形成された各色の画像光は、図示しない色合成光学系によって画素毎に合成されてカラーの画像光となった後、投写レンズ１３によってスクリーンＳＣ等に拡大投写される。
【００２９】
上記実施形態では、光源１１として光源ランプ１１ａを用いて投写するプロジェクター１を例示したが、本発明は、光源としてＬＥＤ（Light emitting diode）光源やレーザー光源などを用いて投写するプロジェクターにも適用することができる。なお、上記実施形態では、画像投写手段１０は、光源１１、光変調装置としての３つの液晶ライトバルブ１２Ｒ，１２Ｇ，１２Ｂを用いた透過型液晶方式の投写光学系を例示したが、反射型液晶表示方式やマイクロミラーデバイス方式（ライトスイッチ表示方式）など、他の表示方式の光変調装置を採用しても良い。
【００３０】
制御手段２０は、図示しないＣＰＵ（Central Processing Unit）や、各種データ等の一時記憶に用いられるＲＡＭ（Random Access Memory）等を備え、記憶手段２１に記憶されている制御プログラム（図示せず）に従って動作することによりプロジェクター１の動作を統括制御する。つまり、制御手段２０は、記憶手段２１とともにコンピューターとして機能する。
【００３１】
記憶手段２１は、フラッシュメモリーやＦｅＲＡＭ（Ferroelectric RAM：強誘電体メモリー）等の書き換え可能な不揮発性のメモリーにより構成されている。記憶手段２１には、プロジェクター１の動作を制御するための制御プログラムや、プロジェクター１の動作条件等を規定する各種設定データ等が記憶されている。
【００３２】
入力操作手段２３は、ユーザーがプロジェクター１に対して各種指示を行うための複数の操作キーを備えている。入力操作手段２３が備える操作キーとしては、電源のオン・オフを交互に切り替えるための電源キーや、画像信号入力手段１８に入力される複数の画像入力端子を切り替えるための入力切替キー、各種設定を行うための設定メニューを重畳表示させるメニューキー、メニューからユーザーが設定項目を選択するカーソルキー、決定キー、エスケープキー等がある。
【００３３】
ユーザーが入力操作手段２３の各種操作キーを操作すると、入力操作手段２３は、ユーザーの操作内容に応じた操作信号を制御手段２０に出力する。なお、入力操作手段２３は、リモートコントローラー（リモコン）信号受信手段（図示せず）と遠隔操作が可能なリモートコントローラー（図示せず）を有した構成としてもよい。
この場合、リモートコントローラーは、使用者の操作内容に応じた赤外線等の操作信号を発し、リモコン信号受信手段がこれを受信して制御情報として制御手段２０に伝達する。
【００３４】
画像信号入力手段１８は、上述したように複数の画像入力端子を備えており、各画像入力端子より、ビデオ再生装置やパーソナルコンピューター等、外部機器から、図示しないケーブル、又は通信機器を介して画像情報が入力される。
【００３５】
画像信号処理手段１７は、画像信号入力手段１８から入力される画像情報を、液晶ライトバルブ１２Ｒ，１２Ｇ，１２Ｂの各画素の階調を表す画像情報に変換する。ここで、変換された画像情報は、Ｒ，Ｇ，Ｂの色光別になっており、各液晶ライトバルブ１２Ｒ，１２Ｇ，１２Ｂのすべての画素に対応する複数の画素値によって構成されている。
画素値とは、対応する画素の光透過率を定めるものであり、この画素値によって、各画素を透過し射出する光の強弱（階調）が規定される。
【００３６】
ＯＳＤ処理手段１６は、制御手段２０の指示に基づいて、投写画像上に、メニュー画像やメッセージ画像等のＯＳＤ（オンスクリーンディスプレイ）画像を重畳して表示するための処理を行う。ＯＳＤ処理手段１６は、図示しないＯＳＤメモリーを備えており、ＯＳＤ画像を形成するための図形やフォント等を表すＯＳＤ画像情報を記憶している。
【００３７】
制御手段２０が、ＯＳＤ画像の重畳表示を指示すると、ＯＳＤ処理手段１６は、必要なＯＳＤ画像情報をＯＳＤメモリーから読み出し、投写画像上の所定の位置にＯＳＤ画像が重畳されるように、画像信号処理手段１７から入力される画像情報にこのＯＳＤ画像情報を合成する。ＯＳＤ画像情報が合成された画像情報は、液晶駆動手段１４に出力される。なお、制御手段２０からＯＳＤ画像を重畳する旨の指示がない場合には、ＯＳＤ処理手段１６は、画像信号処理手段１７から入力される画像情報を、そのまま液晶駆動手段１４に出力する。
【００３８】
液晶駆動手段１４は、ＯＳＤ処理手段１６から入力される画像情報に従って液晶ライトバルブ１２Ｒ，１２Ｇ，１２Ｂを駆動すると、液晶ライトバルブ１２Ｒ，１２Ｇ，１２Ｂは、画像情報に応じた画像を形成し、この画像が投写レンズ１３から投写される。
【００３９】
電源部３１には、電源端子３０を介してＡＣ１００Ｖ等の電力が外部から供給される。電源部３１は、入力した電力（交流電力）を所定の直流電力に変換して、プロジェクター１の各部に電力を供給する。
また、電源部３１は、制御手段２０の指示に基づいて、画像の投写に必要な電力（動作電力）を各部に供給する状態（電源オン状態）と、動作電力の供給を停止して、電源をオンにするための操作を待機する状態（スタンバイ状態）とを切り替えることができる。
【００４０】
光源制御手段２５は、制御手段２０の指示に基づいて、光源１１に対する電力の供給と停止とを制御し、光源１１の点灯、及び消灯を切り替える。
【００４１】
シャッター位置検出手段１５は、フォトセンサーや磁気センサー、メカスイッチなどで構成され、シャッター４を操作ツマミ４ａでスライド移動したときの位置が全開放位置、投写レンズ開放位置、または閉鎖位置のいずれの位置にあるかを検出し、その検出結果を制御手段２０に出力する。
【００４２】
次に、本実施形態のプロジェクター１の動作を図３、および図４のフローチャートを用いて説明する。
【００４３】
〔シャッター４の移動を検出したときの動作〕
図３は、プロジェクター１が動作中にシャッター４の移動を検出したときの動作を示すフローチャートである。
図３に示すように、ステップＳ１０１においてシャッター位置検出手段１５が、プロジェクター１の動作中にシャッター４の位置が全開放位置、投写レンズ開放位置、および閉鎖位置のいずれかの位置に移動したことを検出する。このステップＳ１０１がシャッター位置検出ステップに相当する。
【００４４】
ステップＳ１０１において位置移動を検出すると、制御手段２０はシャッター位置検出手段１５の検出結果に基づき、シャッター４が閉鎖位置に移動したか否かを調べる（ステップＳ１０２）。シャッター４が閉鎖位置に移動した場合（ステップＳ１０２：Ｙ）、ステップＳ１０３に遷移する。シャッター４が閉鎖位置に移動していない場合（ステップＳ１０２：Ｎ）、ステップＳ１０４に遷移する。
【００４５】
ステップＳ１０３において制御手段２０は、全黒画像を画像投写手段１０に投写させ、ステップＳ１０７に遷移する。全黒画像は、画像ミュート状態を示す画像である。この状態においてはシャッター４が開口部３を閉塞しているので、スクリーンＳＣ上には画像は投写されない。
【００４６】
ステップＳ１０４において制御手段２０は、画像信号入力手段１８から入力される画像信号に基づく画像を画像投写手段１０に投写させ、ステップＳ１０５に遷移する。
【００４７】
ステップＳ１０５において制御手段２０は、シャッター４が投写レンズ開放位置に移動したか否かを調べる。シャッター４が投写レンズ開放位置に移動した場合（ステップＳ１０５：Ｙ）、ステップＳ１０６に遷移する。シャッター４が投写レンズ開放位置に移動していない場合（ステップＳ１０５：Ｎ）、ステップＳ１０７に遷移する。
【００４８】
ステップＳ１０６において制御手段２０は、フォーカス調整、ズーム調整の操作がロック（禁止）されていることを示す第１の画像としてのメッセージＭ１を、画像投写手段１０によって投写されている画像に重畳して投写させ、ステップＳ１０７に遷移する。このステップＳ１０６が第１の画像投写ステップに相当する。
このときのメッセージＭ１が投写された状態の画像例を図５に示す。
【００４９】
ステップＳ１０７において本動作フローを終了する。
【００５０】
〔電源オン操作を検出したときの動作〕
図４は、プロジェクター１がスタンバイ（電源オフ）中に電源オン操作を検出したときの動作を示すフローチャートである。
図４に示すように、プロジェクター１がスタンバイ（電源オフ）中に入力操作手段２３より電源オン操作を検出すると（ステップＳ２０１）、制御手段２０はシャッター４が閉鎖位置にあるか否かを調べる（ステップＳ２０２）。シャッター４が閉鎖位置にある場合（ステップＳ２０２：Ｙ）は、ステップＳ２０３に遷移する。シャッター４が閉鎖位置にない場合（ステップＳ２０２：Ｎ）は、ステップＳ２０４に遷移する。
【００５１】
ステップＳ２０３において制御手段２０は、プロジェクター１をスタンバイ状態を維持、またはスタンバイ状態に移行する。
【００５２】
ステップＳ２０４において制御手段２０は、光源制御手段２５により光源１１を点灯させ、ステップＳ２０５に遷移する。
【００５３】
ステップＳ２０５において制御手段２０は、画像信号入力手段１８から入力される画像信号に基づく画像を画像投写手段１０に投写させ、ステップＳ２０６に遷移する。
【００５４】
ステップＳ２０６において制御手段２０は、シャッター４が投写レンズ開放位置にあるか否かを調べる。シャッター４が投写レンズ開放位置にある場合（ステップＳ２０６：Ｙ）、ステップＳ２０７に遷移する。シャッター４が投写レンズ開放位置にない場合（ステップＳ２０６：Ｎ）、ステップＳ２０８に遷移する。
【００５５】
ステップＳ２０７において制御手段２０は、フォーカス調整、ズーム調整の操作がロック（禁止）されていることを示す第１の画像としてのメッセージＭ１を、画像投写手段１０によって投写されている画像に重畳して投写させ、ステップＳ２０８に遷移する。このステップＳ２０７が第１の画像投写ステップに相当する。
このときのメッセージＭ１が投写された状態の画像例を図５に示す。
【００５６】
ステップＳ２０８において、投写を開始させ本動作フローを終了する。
【００５７】
以上説明したように、本実施形態のプロジェクター１によれば、シャッター４を投写レンズ開放位置に移動させることにより、投写レンズ１３の開口部３を開放したままで、フォーカス調整部５、及びズーム調整部６の操作を禁止にするように閉塞する。これにより、画像を投写しながら、フォーカス調整部５、及びズーム調整部６の操作を禁止することが可能となる。
【００５８】
また、シャッター４が投写レンズ開放位置にあることを検出した場合に、第１の画像としてのメッセージＭ１はフォーカス調整部５、およびズーム調整部６の操作が禁止されていることが示されているので、第１の画像としてのメッセージＭ１を重畳して投写することで、ユーザーにフォーカス調整、及びズーム調整の操作が禁止されていることを知らせることが可能となる。
【００５９】
また、シャッター４が、排気口７、及び開口部３のある一面と異なる面に収納されるので、排気口７を開口部３と同じ一面に設ける場合でも、シャッター４を全開放したときにシャッター４と排気口７とが干渉することを防止することが可能となる。
【００６０】
また、上記実施形態は、以下のように変更してもよい。
（変形例１）
上述した実施形態では、シャッター４は筐体２の前面２ｆと上面２ｔの間をスライド移動するようになっているが、投写レンズ１３のみを露出して、フォーカス調整部５、及びズーム調整部６を閉塞でき、シャッター４と排気口７とが干渉しない構造であれば、筐体２の前面２ｆを左右方向にスライド移動する構造、または筐体２の前面２ｆと右側面２ｒ、または筐体２の前面２ｆと左側面２ｌの間をシャッター４がスライド移動する構造でも良い。
【００６１】
図６は変形例１のプロジェクター１の斜視図であり、図６（ａ）はシャッター４が閉鎖位置にあるとき、図１（ｂ）はシャッター４が投写レンズ開放位置にあるとき、図１（ｃ）はシャッター４が全開放位置にあるときの状態を示す。
本変形例１では筐体２の前面２ｆと左側面２ｌの間をシャッター４がスライド移動する構造であり、筐体２の前面２ｆ、および前面２ｆに隣接する左側面２ｌには、開口部３が連なって形成されている。シャッター４は、筐体２の前面２ｆ、及び左側面２ｌの間を蛇腹状に折れ曲がりながらスライド移動し、全開放時には左側面２ｌ内に収納されるように構成されている。シャッター４には操作ツマミ４ａが形成され、操作ツマミ４ａを保持しながら移動することができるようになっている。
この場合においても、投写レンズ１３の開口部３を開放したままで、フォーカス調整部５、及びズーム調整部６の操作を禁止にするように閉塞する。これにより、画像を投写しながら、フォーカス調整部５、及びズーム調整部６の操作を禁止することが可能となる。
【００６２】
（変形例２）
上述した実施形態では、フォーカス調整部５、及びズーム調整部６は、手動によりフォーカス調整リング、及びズーム調整リングのツマミを調整して操作を行う構成とされているが、それぞれを電動フォーカス調整機構、電動ズーム調整機構として構成し、入力操作手段２３の操作によって電動で調整動作するようにしてもよい。この場合、シャッター４が投写レンズ開放位置および、閉鎖位置にあるときは、入力操作手段２３の操作を無効にすることで、電動フォーカス調整機構、電動ズーム調整機構が操作されることを防止することができる。
【符号の説明】
【００６３】
１…プロジェクター、２…筐体、３…開口部、４…シャッター、４ａ…操作ツマミ、５…フォーカス調整部、６…ズーム調整部、７…排気口、１０…画像投写手段、１１…光源、１２Ｒ，１２Ｇ，１２Ｂ…液晶ライトバルブ（光変調装置）、１３…投写レンズ、１４…液晶駆動手段、１５…シャッター位置検手段、１６…ＯＳＤ処理手段、１７…画像信号処理手段、１８…画像信号入力手段、２０…制手段部、２１…記憶手段、２３…入力操作手段、２５…光源制御手段、３０…電源端子、３１…電源部。
【図１】
0005834746.tif 000002
【図２】
0005834746.tif 000003
【図３】
0005834746.tif 000004
【図４】
0005834746.tif 000005
【図５】
0005834746.tif 000006
【図６】
0005834746.tif 000007